(57)【特許請求の範囲】
【請求項１】
シート搬送装置であって、
筐体と、
前記筐体内に配置され、シートを分離して搬送可能な一対の回転体と、
前記一対の回転体のいずれか一方の回転体を支持軸で支持する保持手段と、
前記保持手段に当接して移動可能なように設けられた調整駒と、
前記調整駒を、前記保持手段に力を及ぼす方向に移動させる調整手段と
を備え、
前記保持手段は、前記支持軸と前記調整駒との当接位置との間に設けられた回転軸部によって回転可能に支持され、
前記調整手段によって、前記一対の回転体の軸間距離を調整可能であり、
前記シート搬送装置はさらに、
前記保持手段を前記調整駒に向けて付勢する付勢手段と、
前記付勢手段の付勢力に抗して前記軸間距離を広げる方向へ前記保持手段を変位させる第二調整手段と、
前記調整手段を覆うカバー部材と、を備え、
前記第二調整手段は、前記カバー部材を回動可能に支持することを特徴とするシート搬送装置。
【請求項２】
前記一対の回転体は櫛歯ローラ対であることを特徴とする請求項１に記載のシート搬送装置。
【請求項３】
前記カバー部材は、前記調整手段を開放するように回動した状態で、前記第二調整手段側に押下可能であり、
押下された状態において、前記カバー部材の先端が前記筐体の外装面に重なるように移動することを特徴とする請求項１または２に記載のシート搬送装置。
【発明の詳細な説明】
【技術分野】
【０００１】
本発明は、手形や小切手等の有価証券等の原稿の画像や、手形や小切手等に印刷された磁気インク文字を読み取る小切手処理装置に用いられるシート搬送装置に関するものである。
【背景技術】
【０００２】
従来、銀行等の金融機関に持ち込まれた手形・小切手等は各銀行にて小切手の両面の画像を撮影し、更に印刷された磁気インク文字（ＭＩＣＲ文字）を読み取る装置を用いて自動的に分別集計され、手形交換所に持ち込まれている。
【０００３】
近年、この手形交換所への持ち込み前の作業効率を向上させるために、手形・小切手等の両面に印刷された画像情報の読み取りと、磁気インク文字情報の読み取りとの両方を行うことが可能な小切手処理装置が実用化されている。
【０００４】
小切手処理装置には画像情報や磁気インク文字情報を正確に読み取る必要があり、特許文献１による発明のような小切手処理装置が提案されている。
【先行技術文献】
【特許文献】
【０００５】
【特許文献１】特開２０１３−７０２２５号公報
【発明の概要】
【発明が解決しようとする課題】
【０００６】
前述のような小切手処理装置において正確な画像情報や磁気インク文字情報の読み取りを行うためには複数枚の手形・小切手からなるシート束を正確に１枚ずつに分離してから搬送する必要がある。そのために、２枚目以降のシートが同時に搬送されないように止めるための分離機構が備わっている。
【０００７】
分離を行う機構としてはシートを搬送する方向に回転する送りローラと、搬送路を挟んで送りローラの対向側に配置されてシートを搬送する方向と逆方向に回転する分離ローラで構成されるローラ対によるものが知られている。しかし、皺・折れなどが有る状態が悪いシートは前述の分離ローラと送りローラとのニップ部に入るまえに、分離ローラに引っかかって押し戻されてしまい、分離部で搬送が止まってしまうおそれがある。
【０００８】
そこで、本発明では簡単に最適な分離負荷になるように分離負荷を調整することが可能な分離機構を有するシート搬送装置の提供を目的とする。
【課題を解決するための手段】
【０００９】
上記目的を達成するために、本発明のシート搬送装置は、
シート搬送装置であって、
筐体と、
前記筐体内に配置され、シートを分離して搬送可能な一対の回転体と、
前記一対の回転体のいずれか一方の回転体を支持軸で支持する保持手段と、
前記保持手段に当接して移動可能なように設けられた調整駒と、
前記調整駒を、前記保持手段に力を及ぼす方向に移動させる調整手段と
を備え、
前記保持手段は、前記支持軸と前記調整駒との当接位置との間に設けられた回転軸部によって回転可能に支持され、
前記調整手段によって、前記一対の回転体の軸間距離を調整可能であり、
前記シート搬送装置はさらに、
前記保持手段を前記調整駒に向けて付勢する付勢手段と、
前記付勢手段の付勢力に抗して前記軸間距離を広げる方向へ前記保持手段を変位させる第二調整手段と、
前記調整手段を覆うカバー部材と、を備え、
前記第二調整手段は、前記カバー部材を回動可能に支持することを特徴とする。
【発明の効果】
【００１０】
本発明によれば、搬送するシートの状態に合わせた分離負荷の調整を行うことができる。
【図面の簡単な説明】
【００１１】
【図１】本発明の一実施形態に係るシート搬送装置の内部全体構成図。
【図２】本発明の一実施形態に係るシート搬送装置の外観全体斜視図。
【図３】本発明の一実施形態に係るシート搬送装置の他の外観全体斜視図。
【図４】本発明の一実施形態に係るシート搬送装置の送りローラと分離ローラの拡大図。
【図５】本発明の一実施形態に係るシート搬送装置の軸間調整機構の拡大図。
【図６】本発明の一実施形態に係るシート搬送装置の軸間調整機構の３面図。
【図７】本発明の一実施形態に係るシート搬送装置の調整窓カバーが開いた状態の斜視拡大図。
【図８】本発明の一実施形態に係るシート搬送装置の軸間調整機構の駆動部の上面図。
【図９】本発明の一実施形態に係るシート搬送装置のＴ字ヒンジとローラ保持部材の位置関係を示した図。
【図１０】本発明の一形態に係るシート搬送装置の調整窓カバーが下がった状態の斜視拡大図。
【図１１】本発明の一実施形態に係るシート搬送装置の調整窓カバーと傾斜面の相関関係を示した概念図。
【図１２】本発明の一実施形態に係るシート搬送装置の分離時と非分離時の軸間調整機構の拡大図。
【図１３】本発明の一実施形態に係るシート搬送装置のインプリンター近辺の拡大図。
【発明を実施するための形態】
【００１２】
（第一実施形態）
以下、本発明に係るシート搬送装置の一実施形態について図を参照して詳細に説明する。図１は、本実施形態が適用されたシート搬送装置１００の内部全体構成を示す。
【００１３】
シート搬送装置１００はホッパー２に積載された手形・小切手などに代表される処理を行う対象となるシートＳの束Ｓ’を搬送方向に一枚ずつに分離してシート搬送路７へと給送を行うための給紙ローラ４、送りローラ５、分離ローラ６とシート束Ｓ’を給紙ローラ４に押し付ける給紙押圧部材３、シートＳが装置内部に配置された各機能部をシート搬送路７に沿って通過するように搬送するためのレジローラ９ａ、レジ従動ローラ９ｂ、第一搬送ローラ１３ａ、第一搬送従動ローラ１３ｂ、１３ｃ、第二搬送ローラ１４ａ、第二搬送従動ローラ１４ｂ、１４ｃ、および排紙ローラ１７ａ、排紙従動ローラ１７ｂと、これらのローラ群を駆動する不図示のモーターを有している。
【００１４】
これらの部品を含め装置全体を制御し、インターフェースケーブルで接続された不図示のホストコンピュータなどの上位装置との間で通信を行うコントローラユニットを備えている。
【００１５】
シートＳの両面の画像情報を読み取り、読み取った情報をデジタル信号データ化処理することにより、コンピュータで簡単に情報を管理運用することが可能であり、シートＳの磁気インク文字情報による磁気信号を画像情報と共に読み取りが可能であり、画像情報を読み取る前のシートＳに日付や処理内容など任意の情報を追加するために印字を行うことが可能であり、シートＳ以外にも厚みと硬さのあるＩＤカードなどのカードの画像を、画像読取センサー３０を用いて搬送しながら読み取ることが可能であり、ドライバーズライセンスやＩＤカード等のカードＣの磁気ストライプに記録されている磁気情報の読み込みが可能である。
【００１６】
そのため、シート搬送装置１００の画像イメージの読取部として、ＣＣＤ（Ｃｈａｒｇｅ  Ｃｏｕｐｌｅｄ  Ｄｅｖｉｃｅ）やＣＩＳ(Ｃｏｎｔａｃｔ  Ｉｍａｇｅ  Ｓｅｎｓｏｒ)などで構成される画像読取センサー３０と、磁気インクに磁性を持たせるための永久磁石８と、シートＳを磁気インクによる文字（以下、ＭＩＣＲ文字）の文字列方向に搬送して磁化したＭＩＣＲ文字の磁気を読み取り、前述のコントローラユニットによって読み取ったＭＩＣＲ文字データを送信するための磁気ヘッド１２、文字情報をより正確に読み取るために磁気ヘッド１２にシートＳを押し付ける対向コロ１２ａからなる磁気インク文字情報の磁気信号読取部と、インプリンター１５と、手前側に電源ボタン、シートＳの処理を開始するスタートボタン等からなるオペレーターが操作する操作パネル６０と、装置前面にはカードを読み取るとき１枚カードを挿入するカード挿入口２３、カード給送ローラ２５と、処理システムに名前等を自動で入力するために、図２および図３に示すように磁気スワイプリーダー４０を備えている。
【００１７】
磁気スワイプリーダー４０は、カードの厚み分の隙間を有して対向配置されたガイド板と、ガイド板のどちらか一方に配設された磁気ヘッドと、ガイド板の他方にはカードを磁気ヘッドに押し付ける押圧部材３と、カードの底面を基準としてガイドする底面ガイドから構成されている。
【００１８】
カードを底面ガイドに沿わせながらガイド板の間を通過させることで、カードの磁気ストライプを磁気ヘッドに接触・摺動させ、カードの磁気ストライプに記録されている磁気情報を読み取り、その磁気情報に係る信号を生成する。そのため、前記カード厚み分の隙間としてカードスライド口４０ａを備えている。
【００１９】
さらに、シート搬送装置１００は給送前にホッパー２に載置されるシート束Ｓ’および、動作を終えて排紙スタッカー２１に載置されるシート束Ｓ’をサポートするためのトレイ１を有している。
【００２０】
トレイ１はシート搬送装置１００の前面に回動可能に支持され、図２に示すようにシート搬送装置１００の非使用時には本体筐体前面に収納され装置前面を覆うカバーとなる。図３に示すようにシート搬送装置１００の使用時には回動して装置前面に展開される。そしてトレイ１はシート搬送装置１００に設けられた給送前のシート束Ｓ’を載置するホッパー２の載置面および給送後のシート束を載置する排紙スタッカー２１の載置面と略同一面となる載置面を構成する。積載面はホッパー２に積載されるシートＳの後端下面と、画像イメージと磁気インク印刷文字の読取を終えて排紙スタッカー２１に排紙されたシートＳの先端下面を保持する機能を有している。
【００２１】
以下、具体的にシート搬送装置の操作と動作について説明する。ホッパー２にシートＳが載置されると、ホッパー２に装着されている積載検知センサー２ａによってシートＳが認識される。
【００２２】
この状態で、オペレーターが操作パネル６０内のスタートボタンを押す、または、前述したホストコンピュータなどの上位装置から直接指示すると、ホストコンピュータ等からコントローラユニットに読取開始信号が送信され、不図示のモーターにより給紙押圧部材３が駆動されシートＳを給紙ローラ４に押し付ける。給紙押圧部材３が駆動開始されると同時に給紙ローラ４が回転し、シートＳが給送ローラ４に押し付けられると給送を開始する。なお、本実施例では給紙押圧部材３の駆動開始と給紙ローラ４の回転開始のタイミングを同時としたが、どちらが先に開始していても同様の効果を得ることが出来る。
【００２３】
給送されたシートＳは、送りローラ５で装置内のシート搬送路７へ搬送される。このとき、給紙ローラ４で給送されたシートＳが複数枚の場合、送りローラ５に対向して配置され、搬送方向と逆方向に回転する分離ローラ６によって１枚だけに分離して搬送される。
【００２４】
続いて、前述の機構により先端が分離部を通過したシートＳについて図１を用いて説明する。
【００２５】
シート搬送路７へ搬送されたシートＳは、シート搬送路７に配置された永久磁石８によってシートＳに印刷されたＭＩＣＲ文字の磁化方向が整列され、レジローラ９ａおよびレジ従動ローラ９ｂによってさらに装置内部へと搬送される。
【００２６】
レジローラ９ａと第一搬送ローラ１３ａの間には、ＭＩＣＲ文字の読取タイミングをとるシート検知センサー１０、重送検知センサー１１、磁気ヘッド１２、磁気ヘッド１２の対向側には、シートＳを磁気ヘッド１２に押圧する対向コロ１２ａが配置されている。
【００２７】
分離ローラ６によって１枚に分離されずに複数枚のシートＳがシート搬送路７に送りだされた場合、重送検知センサー１１によって重送が検知される。重送が検知されるとシートＳの搬送が停止される。
【００２８】
重送検知センサー１１で重送検知を行うと同時にシートＳは対向コロ１２ａによってＭＩＣＲ文字が印刷された部分が磁気ヘッド１２に密着されるように押しつけられ、ＭＩＣＲ文字が読み取られる。
【００２９】
続いてＭＩＣＲ文字が磁気ヘッド１２で読み取られたシートＳは第一搬送ローラ１３ａ、第一従動ローラ１３ｂ、１３ｃによってインプリンター１５の前に搬送される。インプリンター１５は搬送されたシートＳの裏面に不図示の上位装置との通信により指示されたシートを処理した日付や金融機関の名称等の文字列を印刷する。
【００３０】
インプリンター１５を通過したシートＳは第二搬送ローラ１４ａ、第二従動ローラ１４ｂ、１４ｃによって搬送され、レジストセンサー１６で画像読み取りのタイミングを取ったのち、シートＳの両面の画像を読み取る画像読取センサー３０に搬送され、シートＳの両面の画像が読み取られる。画像読取センサー３０には、内部に図示しない発光素子であるＬＥＤと、集光レンズと、受光素子を有し、カラー・白黒の両方でシートＳの両面の画像イメージを読取可能である。また発光素子をＵＶ光とすることで、ＵＶ領域における画像イメージも読取可能である。
【００３１】
シートＳの画像を読み取った後に排紙ローラ１７ａおよび排紙従動ローラ１７ｂにより排紙スタッカー２１に排紙される。排紙スタッカー２１には排紙されたシートＳが排紙された順に従い排紙スタッカー２１上に整列させるための排紙ガイド１８、１９、排紙されたシートの積載量に応じて揺動可能なシート押さえ２０が設けられている。排紙されたシートＳは排紙ガイド１８、１９によって搬送方向が変更され、整列面２１ａに向かって排出される。排出されたシートＳはシート押さえ２０によって整列面２１ａに押し付けられながら整列面２１ａに沿って進み、シートストッパー２２で先端が規制される。
【００３２】
続けて排紙されるシートも同様に順次排紙されたシートに重なりながら排紙され、シートストッパー２２で先端が揃えられて整列される。そして、ホッパー２に積載されたシートＳがすべて給紙されると、シート搬送装置１００は作動を停止する。
【００３３】
次にカードの画像を読み取る際の動作について、図１および３を用いて説明する。装置前面に設けられたカード挿入口２３にカードＣを挿入するとカード検知センサー２４によってカードが検知され、不図示のモーターが回転を開始する。カード挿入口２３にカードが挿入されてから後述のカード待避口２７にカードＣが達するまでの搬送経路はシートＳの搬送経路を逆走する。
【００３４】
そこで、モーターの初期動作はシートＳ搬送時の回転方向の逆方向となる。モーターの逆回転により前述のカード搬送ローラ２５がカード引き込み方向に回転しカードＣを装置内に設けられたカード搬送路２６に搬送する。カード搬送路２６を進んだカードは排紙ローラ１７ａおよび排紙従動ローラ１７ｂに到達する。排紙ローラ１７ａも搬送ローラの逆転によりカードを画像読取センサー３０に搬送する方向に回転しており、カードＣを第二搬送ローラ１４に搬送する。第二搬送ローラ１４に送られたカードＣは第二搬送ローラ１４をそのまま直進し、その先に設けられたカード待避口２７に搬送される。カードＣの後端がレジストセンサー１６を過ぎると、不図示の搬送モーターが回転を一旦停止し、小切手搬送方向に回転を開始する。小切手の画像イメージ読取と同様に、レジストセンサー１６で画像読み取りのタイミングを取ったのち、画像読取センサー３０に搬送され、カードの両面の画像が読み取られる。画像が読み取られたカードは排紙ローラ１７によって排紙スタッカー２１に排紙されカードの読取動作が終了する。このとき排紙ガイド１８はカードの高さよりも、高い位置に配置されているためカードの排出は妨げない。
【００３５】
次にカードＣの磁気情報を読み取る際の動作について、図２および図３を用いて説明する。装置上面に設けられたカードスライド口４０ａにカードをスライドさせると、カードＣの磁気記録面に記録された磁気情報を読み取ることが出来る。カードスライド口４０ａは、隣接する搬送路７と平行にカードをスライドするように開口が延びており、省スペース化を実現している。
【００３６】
以上説明した構成によってシート搬送装置１００は動作している。但し、本発明は上記実施形態に限らず、趣旨を変更しない種々の変更が可能となっている。
【００３７】
続いて、本発明にかかる分離部について詳細に説明する。
【００３８】
図４に示すように送りローラ５と分離ローラ６はそれぞれ櫛歯構造になっており軸方向に複数のローラを有し表面に凹凸を形成している。そして、送りローラ５の凸部と分離ローラ６の凹部が、送りローラ５の凹部と分離ローラ６の凸部が、それぞれ対向し合うように配置される。送りローラ５と分離ローラ６の隙間Ａは後述の軸間調整機構５０によって調整可能であり、送りローラ５の円周面と分離ローラ６の円周面の隙間Ａがシート束Ｓ’の分離に最適な隙間となるよう調整される。
【００３９】
なお、隙間Ａが特に狭すぎた場合、シートＳは送りローラ５と分離ローラ６の間に入っていかずに、分離部でシートＳの搬送が止まってしまう。または、コシのない紙や柔らかい紙は凸部間で挟まれて皺が発生してしまったり、破れてしまったりする虞もある。
【００４０】
また、隙間Ａがやや狭すぎた場合、シート束Ｓ’は１枚ずつに分離されて搬送されるが、分離ローラ５の作用が強すぎるため、シート後端が分離部を抜けた際にシートＳの搬送速度が加速し、分離部に続く、ＭＩＣＲ読取、インプリンター印字、画像読取に悪影響を与える。
【００４１】
また、隙間Ａが広すぎた場合は、複数枚のシートＳが通過してしまうため、１枚ずつに分離できず重送が発生する。
【００４２】
以上の理由により、隙間Ａは広すぎず、狭すぎない良好な間隔に調整される必要がある。但し、良好な間隔はシートＳの厚みによって異なる。
【００４３】
ここで、軸間調整機構５０の構成および操作の詳細について説明する。図５は軸間調整機構５０の詳細斜視図であり、図６は軸間調整機構５０の３面図である。
【００４４】
送りローラ５はローラ保持部材５１の端部に設けられたローラ駆動軸５１ａに回転可能に支持されている。さらに、ローラ保持部材５１は回転軸５２に回動可能に支持されている。
【００４５】
軸間調整機構５０はオペレーターが操作可能な軸間調整ダイヤル５５が設けられており、軸間調整ダイヤル５５はギア形状を有し、軸間調整ダイヤル５５の歯数よりも少ないギア形状を有するダイヤル減速ギア５５ｂに連結している。ダイヤル減速ギア５５ｂの中心にはおねじを有したダイヤル軸５５ａが貫通され固定されている。
【００４６】
ダイヤル軸５５ａにはめねじを有した調整駒５４が軸間調整ダイヤル５５の回転に伴いＢ方向に移動可能に噛み合っている。ローラ保持部材５１のローラ駆動軸５１ａとは反対の端部には突起部５１ｂが設けられ、ローラ保持部材５１は、弾性体であるコイルばね５３によって調整駒５４側に付勢されており、突起部５１ｂによって調整駒５４と離間可能に当接している。
【００４７】
図６の正面図においてオペレーターが軸間調整ダイヤル５５を時計周りに回転させると、ダイヤル減速ギア５５ｂが回転し、同時にダイヤル軸５５ａが同期回転することで、ネジ形状による噛みあいによって調整駒５４とローラ保持部材５１の突起部５１ｂが図５のＢ方向(＋方向とする)に移動し、図４に示した隙間Ａが狭くなる。
【００４８】
軸間調整ダイヤル５５を反時計周りに回転させると、同様に調整駒５４とローラ保持部材５１の突起部５１ｂが図５のＢ方向(−方向とする)に移動し、図４に示した隙間Ａが広くなる。
【００４９】
なお軸間調整ダイヤル５５の操作方向と隙間Ａの増減はダイヤル軸５５ａのネジおよび調整駒５４ネジの巻き方向によって逆にすることもできるため、本実施例の限りではない。
【００５０】
以上の機構によりオペレーターは軸間調整ダイヤル５５を回転させて、送りローラ５と分離ローラ６の隙間を、シートＳが重送せず且つ極力分離負荷を受けない良好な状態で搬送可能なような隙間となるように調整を行う。
【００５１】
前述のように、ローラ保持部材５１の突起部５１ｂは調整駒５４とコイルばね５３による弾性力をもって離間可能に当接されているため、送りローラ５と分離ローラ６の間隔はシートＳ自身の剛性によって搬送時に広げることが可能である。このため、上記構造によれば、軸間調整を行わずとも、弾性体を用いてローラ保持部材５１が移動可能にしなかった場合と比較して厚みをもった様々な種類のシートに対応できるという効果がある。
【００５２】
また、図７に示すように前述の軸間調整ダイヤル５５は開閉可能に設置された調整窓カバー５６によって隠されているため、調整窓カバー５６が閉まっている時は外部から触ることが出来ず、オペレーターが間違って軸間調整ダイヤル５５に触れてしまい隙間Ａの調整値が変わってしまうことを防いでいる。
【００５３】
図８には、本発明の一実施形態に係るシート搬送装置の軸間調整機構の駆動部１１０の上面図を示している。駆動部１１０は、図５に示す軸間調整機構の下方に配置されている。
【００５４】
モーター１１３で発生した駆動力を、モータシャフト１１３ｂから、第１伝達ギア１１５、第２伝達ギア１１２、送りローラ駆動ギア５ｂに伝達して送りローラ５を駆動している。また、モーター１１３で発生した駆動力を、第１伝達ギア１１５、給送ローラ駆動ギア４ｂに伝達して給送ローラ４を駆動している。また、モーター１１３で発生した駆動力を、第３伝達ギア１１６、給紙押圧部材３、駆動ギア３ｂに伝達して給紙押圧部材３の駆動軸３ａを駆動している。
【００５５】
また、給送ローラ駆動ギア４ｂから、第４伝達ギア１１４を介して、モーター１１３の駆動力をカード給送ローラの駆動軸にも伝達している。
【００５６】
図５、図６を用いて説明したように、送りローラ５はその位置が移動可能なように取り付けられており、分離ローラ６との距離が調整可能になっている。送りローラ５が移動したとしても、送りローラ駆動ギア５ｂとの噛み合わせを一定に保つことが好ましい。そのため、本実施形態においては、送りローラギア５ｂに駆動力を伝達する第２伝達ギア１１２の回転軸（回転中心）１１２ａと図５に示すローラ保持部材５１の回転軸５２とを同一直線上に配置している。
【００５７】
このような構成にすることによって、送りローラギア５ｂの回転中心である送り回転中心５ａは、第２伝達ギア１１２の回転軸１１２ａを中心とした円弧上を移動することとなり、回転軸１１２ａと送り回転中心５ａとの相対距離が一定となる。すなわち、ローラ保持部材５１の回転軸５２を中心に回転移動して軸間調整される送りローラ５の下方に設けられた送りローラギア５ｂと第２伝達ギア１１２との噛み合わせを一定に保つことができる。
【００５８】
次に、皺や破損が大きいシートを１枚だけ搬送する場合について説明する。
【００５９】
前述の調整窓カバー５６は図９に示すようにＴ字ヒンジ５７に回動可能に設置されている。Ｔ字ヒンジ５７は装置筐体の真下方向に押し下げることが可能に設置されており、装置筐体との間に窓用ばね５８を介して図９上方向に付勢されている。よって調整窓カバー５６は前述のＴ字ヒンジ５７を介して図１０に示すように装置真下方向に押し下げることが可能になっている。
【００６０】
Ｔ字ヒンジ５７は、その下方にはコイルばねで形成された窓用ばね５８及び装置の外装に形成された段部に挿入される突起部５７ａを有しており、その両端部には、調整窓カバー５６を回動可能に枢支するための固定リブ５７ｃを有している。
【００６１】
Ｔ字ヒンジ５７が押し下げられると、図９に示したＴ字ヒンジ５７の突起部５７ａは図１１に示すようにローラ保持部材５１に設けられた傾斜面５１ｃをＹ方向から付勢し、斜面５１ｃをＸ方向に押しのける。ローラ保持部材５１は回転可能に支持され、かつコイルばね５３によって図５に示すように、突起部５１ｂが調整駒５４に当接する位置に規制されているが、突起部５７ａで傾斜面５１ｃが押されることで回転軸５２を中心に回動し、コイルばね５３が伸びて隙間Ａが広がる方向に向かって回転移動する。
【００６２】
すなわち、図１２の（ｂ）に示すように分離ローラ６と送りローラ５の距離が調整窓カバー５６を押している間だけ十分に広くなる。調整窓カバー５６の押し下げをやめると、図１１の（ａ）に示すようにコイルばね５３および窓用ばね５８によってローラ保持部材５１の突起部５１ｂが調整駒５４に当接する位置まで戻り、同時に調整窓カバー５６が上昇して元の位置に戻る。
【００６３】
また、Ｔ字ヒンジ５７が押し下げられる際に、装置の外装に形成された溝５９によって固定リブ５７ｃがガイドされながら下降することにより、Ｔ字ヒンジ５７は鉛直方向のみにスムーズに移動可能となっている。
【００６４】
この構成により、調整窓カバー５６を押している間のみ図５に示した隙間Ａが大きく開く方向に送りローラ５が移動するため、分離機能を無効化できる。この状態で給送を行うことによって特に状態の悪いシートＳを搬送読取することが可能となる。
【００６５】
さらに、図１１に示されるカバーガイド面５７ｂに沿って調整窓カバー５６が移動することで、調整窓カバー５６は押し下げられながら装置外方に向かって開く方向に回動し、図１０に示すように装置外装に重なりながら下降する。そのため、調整窓カバー５６が上昇した状態における調整窓カバー５６下方とシート搬送装置１００との隙間を調整窓カバー５６の可動範囲よりも小さくすることが可能となり、装置外観を向上することが可能となっている。
【００６６】
図１３は、インプリンター１５近辺の拡大図を示している。上述したように、磁気インク文字が読み取られたシートＳに対し、電子決済済みであることを明示する印刷（予め決められた所定の印字等）を行うことができるようになっている。
【００６７】
磁気ヘッド１２の下流側に、例えば、日付や原稿Ｓが持込まれた金融機関名等、読み取った磁気インク文字から作成された情報等を印刷するための印刷部となるインプリンター（エンドーサー）１５がキャリッジに着脱自在に設けられている。
【００６８】
なお、インプリンター１５は、キャリッジに保持され、且つキャリッジに設けられた不図示のコンタクト部を介してコントローラユニットと電気的に接続されている。
【００６９】
ここで、本実施形態では、インクジェット式記録ヘッドであるインプリンター１５がキャリッジを介して搭載された後、その周辺部を含めて、装置本体の一部を構成する着脱自在なカバー部材である不図示の開閉カバーによって覆われている。なお開閉カバーは、隣接する磁気スワイプリーダー４０および画像読取センサー３０と高さが揃うように配置されており、外観上の凹凸を抑えている。
【００７０】
開閉カバーを外した状態を図１３（Ａ）に示しており、開閉カバーの下部には、蓋体３００が配置されている。この蓋体を開放した状態が図１３（Ｂ）であり、こうすることによって、インプリンター１５の印刷ヘッドを交換可能としており、蓋体３００はインプリンター１５の上部を覆う蓋となっている。
【００７１】
図１３（Ｂ）に示すように、蓋体３００の裏面には、インプリンター１５の印刷ヘッドを清掃するための清掃部３０１が設けられている。具体的には、印刷ヘッドのインク吐出面に付着した紙粉や残留インク等を拭取るための弾性材料からなるワイパー（ブレード部）３０１ａと、このワイパー３０１ａで清掃されたインク吐出面に圧接してインク吐出面から残留インクを吸い出すための清掃部材となる多孔質部材（インク吸収体）３０１ｂとがそれぞれスライド方向に沿って併設されている。
【００７２】
多孔質部材３０１ｂは、印刷ヘッドをスライド移動させた時に、一定の接触圧（拭取り圧）となるように構成されている。即ち、多孔質部材３０１ｂの上面は、印刷ヘッドのスライド方向（ワイパー３０１ａから多孔質部材３０１ｂに向かう方向）と逆方向に下り坂のように傾斜している。
【００７３】
蓋体３００の裏面に清掃部３０１を配置したことによって、印刷ヘッドの着脱動作のための蓋体３００の開放によって清掃部３０１を清掃しやすい状態にすることができ、清掃を容易に行うことができる。また、蓋体３００を閉じておくことで、清掃時以外には余分なスペースを要することなく清掃部３０１を収納できる。
【００７４】
なお、本発明に係るシート搬送装置は手形・小切手に限らず、商品券などの有価証券、あるいはクーポン券など様々な原稿でも処理が可能である。
【符号の説明】
【００７５】
１  トレイ
２  ホッパー
２ａ  積載検知センサー
３  給紙押圧部材
４  給紙ローラ
５  送りローラ
６  分離ローラ
７  シート搬送路
８  永久磁石
９ａ  レジローラ
９ｂ  レジ従動ローラ
１０  シート検知センサー
１１  重送検知センサー
１２  磁気ヘッド
１２ａ  対向コロ
１３ａ  第一搬送ローラ
１３ｂ、１３ｃ  第一従動ローラ
１４ａ  第二搬送ローラ
１４ｂ、１４ｃ  第二従動ローラ
１５  インプリンター
１６  レジストセンサー
１７ａ  排紙ローラ
１７ｂ  排紙従動ローラ
１８、１９  排紙ガイド
２０  シート押さえ
２１  排紙スタッカー
２１ａ  整列面
２２  シートストッパー
２３  カード挿入口
２４  カード検知センサー
２５  カード給送ローラ
２７  カード退避口
３０  画像読取センサー
４０  カードスライド口
５０  軸間調整機構
５１  ローラ保持部材
５１ａ  ローラ駆動軸
５１ｂ  突起部
５１ｃ  傾斜面
５２  回転軸
５３  コイルばね
５４  調整駒
５５  軸間調整ダイヤル
５５ａ  ダイヤル軸
５５ｂ  ダイヤル減速ギア
５６  調整窓カバー
５７  Ｔ字ヒンジ
５７ａ  突起部
５７ｂ  カバーガイド面
５８  窓用ばね
６０  操作パネル
１００  シート搬送装置
Ｓ  シート
Ｃ  カード
【図１】
0006726024.tif 000002
【図２】
0006726024.tif 000003
【図３】
0006726024.tif 000004
【図４】
0006726024.tif 000005
【図５】
0006726024.tif 000006
【図６】
0006726024.tif 000007
【図７】
0006726024.tif 000008
【図８】
0006726024.tif 000009
【図９】
0006726024.tif 000010
【図１０】
0006726024.tif 000011
【図１１】
0006726024.tif 000012
【図１２】
0006726024.tif 000013
【図１３】
0006726024.tif 000014